(57)【要約】【課題】パネルの着脱作業性が良く、パネルを固定する枠体の見付幅が小さく表示部を大きくとることがでる看板の提供を目的とする。【解決手段】看板は、枠体とパネルと押え具と固定ねじとを備え、枠体はパネル受け部と枠体雌ねじ孔を有し、パネルは、枠体側に向けて開口部を有する凹部形状からなり且つ開口縁部に挟持部を有し、押え具は、パネル押え部と押え具雌ねじ孔を有し、パネル開口部内周側に配置するものであり、固定ねじは、頭部側を小さいねじピッチの小ピッチねじ部にし、先端部側を大きいねじピッチの大ピッチねじ部にし、固定ねじの小ピッチねじ部を枠体雌ねじ孔に螺合し、大ピッチねじ部を押え具雌ねじ孔に螺合し、枠体のパネル受け部と押え具のパネル押え部との間にパネルの挟持部を挟持するものである。【選択図】  図１
2006220859.tif 000002
【特許請求の範囲】
【請求項１】
枠体とパネルと押え具とを備え、
枠体はパネル受け部を有し、
パネルは、枠体側に向けて開口部を有する凹部形状からなり且つ開口縁部に挟持部を有し、
押え具は、パネル押え部を有し、
押え具をパネル開口部内周側に配置し、枠体のパネル受け部と押え具のパネル押え部との間にパネルの挟持部を挟持するものであることを特徴とする看板。
【請求項２】
枠体とパネルと押え具と固定ねじとを備え、
枠体はパネル受け部と枠体雌ねじ孔を有し、
パネルは、枠体側に向けて開口部を有する凹部形状からなり且つ開口縁部に挟持部を有し、
押え具は、パネル押え部と押え具雌ねじ孔を有し、パネル開口部内周側に配置するものであり、
固定ねじは、頭部側を小さいねじピッチの小ピッチねじ部にし、先端部側を大きいねじピッチの大ピッチねじ部にし、
固定ねじの小ピッチねじ部を枠体雌ねじ孔に螺合し、大ピッチねじ部を押え具雌ねじ孔に螺合し、枠体のパネル受け部と押え具のパネル押え部との間にパネルの挟持部を挟持するものであることを特徴とする看板。
【発明の詳細な説明】
【技術分野】
【０００１】
本発明は、サイン表示等に使用する看板に関する。
【背景技術】
【０００２】
従来から、店舗表示、案内表示、広告媒体等にパネル看板を使用している。
この種の看板としては、看板の表示板となる表示パネル（以下、パネルと称する）をアクリル板で形成し、フレームと押縁とでパネルを固定するものが公知である。
しかし、看板内の照明器具の取り替えメンテナンス時には、フレーム又は押縁の固定をゆるめ、パネルを上方又は横方向にスライドして取り外す必要があり、作業性が悪く、特に大型看板の場合には、パネルが大きく作業が大変で危険であった。
また、パネルを押えるフランジ幅が大きくなり、その分パネル表示部が小さくなったり、フランジ部が表示表面から見え、外観が悪かった。
【０００３】
実開平７−２６８８２号公報には、看板を筐体の本体枠と額縁形の表示枠とで構成し、表示枠を本体枠に係止クリップを用いてねじ止めする技術を開示するが、表示枠の見付幅が広く、その分パネル表示部の大きさが小さくなり、また、予め表示枠にパネルを取り付けなければならず、部品点数が多い。
【０００４】
【特許文献１】実開平７−２６８８２号公報
【発明の開示】
【発明が解決しようとする課題】
【０００５】
本発明は上記背景技術に鑑みて、パネルの着脱作業性が良く、パネルを固定する枠体の見付幅が小さく表示部を大きくとることができる看板の提供を目的とする。
【課題を解決するための手段】
【０００６】
本発明に係る看板は、枠体とパネルと押え具とを備え、枠体はパネル受け部を有し、パネルは、枠体側に向けて開口部を有する凹部形状からなり且つ開口縁部に挟持部を有し、押え具は、パネル押え部を有し、押え具をパネル開口部内周側に配置し、枠体のパネル受け部と押え具のパネル押え部との間にパネルの挟持部を挟持するものであることを特徴とする。
パネルは枠体側に向けて開口部を有する凹部形状で且つ開口縁部に挟持部を有し、枠体のパネル受け部と押え具のパネル押え部との間にパネルの挟持部を挟み込むため、パネルの周囲の枠体の見付幅が小さい。
【０００７】
本発明に係る看板は、枠体とパネルと押え具と固定ねじとを備え、枠体はパネル受け部と枠体雌ねじ孔を有し、パネルは、枠体側に向けて開口部を有する凹部形状からなり且つ開口縁部に挟持部を有し、押え具は、パネル押え部と押え具雌ねじ孔を有し、パネル開口部内周側に配置するものであり、固定ねじは、頭部側を小さいねじピッチの小ピッチねじ部にし、先端部側を大きいねじピッチの大ピッチねじ部にし、固定ねじの小ピッチねじ部を枠体雌ねじ孔に螺合し、大ピッチねじ部を押え具雌ねじ孔に螺合し、枠体のパネル受け部と押え具のパネル押え部との間にパネルの挟持部を挟持するものであることを特徴とする。
例えば、固定ねじの頭部側を大径ねじ部とし、先端部側を小径ねじ部とした少なくとも２段ねじにし、大径ねじ部のねじピッチを小径ねじ部のねじピッチより小さくし、固定ねじの小ピッチねじ部を枠体雌ねじ孔に螺合し、大ピッチねじ部を押え具雌ねじ孔に螺合し、固定ねじを締める方向に回すと、ねじピッチの大きい押え具の移動量の方が枠体に対する移動量より大きく、枠体と押え具との間隔が狭くなり、その間にあるパネルの挟持部を挟持する。
なお、本発明において小ピッチねじ部及び大ピッチねじ部とは、相対的なピッチの比較をいう。
【発明の効果】
【０００８】
本発明においては、パネルは枠体側に向けて開口部を有する凹部形状からなり、且つ開口縁部に挟持部を有しているので看板の正面からパネルの脱着ができ、枠体の見付け幅が小さくてすみ、その分だけパネル表示部を大きくすることができる。
また、固定ねじの回転により連動して枠体と押え具の間が狭くなる動きにてパネルを挟持するため、従来のフレームと表示枠との組み合わせタイプに比較して部品点数が少なくなる。
【発明を実施するための最良の形態】
【０００９】
本発明に係る看板の実施例として、図３に丸形の袖看板の外観図及び、図４にＡ１−Ａ１線断面図を示す。
また、図５にスタンド看板の外観図及び、図６にＡ２−Ａ２線断面図を示す。
【００１０】
まず、枠体とパネルの取り付け構造を図１及び図２の要部図に基づいて以下説明する。
枠体１０は、両側にパネル受け部１１ａ、１１ｂを有し、パネル受け部より中央側よりに枠体雌ねじ孔１３ａ、１３ｂを形成している。
枠体雌ねじ孔は、枠体に一体的に形成してもよく、図１に示すように、枠体にナット状の雌ねじ形成部材を溶接等により取り付けてもよい。
また、枠体１０の枠体雌ねじ孔に固定ねじ４０ａ、４０ｂを螺合した場合に、固定ねじを締結すると固定ねじの頭部が入り込む、ねじ頭部収納凹部１２ａ、１２ｂを形成している。
固定ねじの頭部が、ねじ頭部収納凹部１２ａ、１２ｂに収まっているとパネル固定状態であり、ねじ頭部収納凹部１２ａ、１２ｂからねじ頭部が飛び出していると固定ねじが緩んでいる状態にある。
従って、パネルを固定した状態では、ねじ頭部が枠体から飛び出していなく、外観見栄えが良いだけでなく、パネルを固定した状態か、パネルを外すことができる状態かが一目でわかる。
【００１１】
押え具３０ａ、３０ｂには、パネル押え部３２ａ、３２ｂ及び、押え具雌ねじ孔３３ａ、３３ｂを有している。
パネル２０ａ、２０ｂはアクリル成形体等であり、枠体側に開口部を有する凹部形状からなり、開口縁部に挟持部２１ａ、２１ｂを有している。
パネルの挟持部は、外れ止部（厚肉部）２３ａ、２３ｂを押え具側（パネル開口内側）に形成し、この外れ止部を呑み込むように押え具凹部３１ａ、３１ｂを有している。
パネルを枠体に固定する際に、パネルの外れ止部をパネル押え具の凹部で包み込むようになるので、パネルが外れにくくなっている。
パネルと枠体のパネル受け部の間にパッキン材２２ａ、２２ｂを設けている。
【００１２】
図２に、固定ねじ４０ａの締め付けと押え具３０ａの動きの関係を示す要部図を示す。
固定ねじ４０ａは、頭部４３ａ側よりを小ピッチねじ部（大径ねじ部）４１ａとし、先端部側よりを大ピッチねじ部（小径ねじ部）４２ａに形成し、大径ねじ部のねじピッチＰ１の方が小径ねじ部のねじピッチＰ２より小さくなっている。
図２（イ）に基づいて組み立て手順を説明すると、固定ねじ４０ａの先に外れ止め部材４４ａを取り付けない状態で、押え具をパネル開口部内周側に配置し、枠体雌ねじ孔１３ａに通す。
小径ねじ部４２ａの先が押え具雌ねじ孔３３ａに螺合し、ねじ先端が押え具雌ねじ孔の先に約０．５ｍｍ程度突出した状態にて固定ねじ４０ａを押し込み、大径ねじ部４１ａを枠体雌ねじ孔に螺合する。
さらに、固定ねじ４０ａをドライバー等で締め込むと、小径ねじ部４２ａの方が大径ねじ部４１ａよりも大きいねじピッチＰ２になっているので、枠体と押え具の間隔がｄ１からｄ２に狭くなる。
図２（ロ）に示すように、枠体側に押え具係止突起１４ａを形成し、押え具の枠体側先端部３４ａが押え具係止突起１４ａに当接した状態で固定ねじの段差部４６ａが押え具の雌ねじ孔３３ａ側底部３５ａに当接するように小ピッチねじ部の長さを設定している。
固定ねじ４０ａの締め付けが完了すると、枠体１０のねじ頭部収納凹部１２ａに固定ねじの頭部の頂面が納まる。
固定ねじの具体例を上げると、大径ねじ部：Ｍ５細目，ピッチＰ１＝０．５、小径ねじ部：Ｍ４並目，Ｐ２＝０．７に設定し、２８回転ストロークにすると大径ねじ部移動量１４ｍｍ、小径ねじ部移動量１９．６ｍｍになり、その差５．６ｍｍが締め代となる。
逆に、固定ねじを緩めると、押え具の方が枠体より大きく動くので間が開き、パネルの開口縁部（挟持部）を看板の正面から抜き取るように取り外すことができる。図１にパネルの脱着方向を矢印で示す。
押え具が看板内側に収まるので、固定ねじの先端部には外れ止め部材４４ａ、４４ｂを取り付けている。
外れ止め部材は、リング状、ピン状、袋ナット状のいずれでもよい。
【００１３】
図３に示す丸形看板１の例は、図４に示すように取り付けアーム２に連結部材２ａを用いて枠体１０を連結し、枠体の内側は枠体固定具１４で固定し、円形状の枠体１０を形成している。
枠体の両側から、枠体のパネル受け部と押え具のパネル押え部との間に挟み込むようにしてパネル２０ａ、２０ｂの開口部を挿入し、固定ねじ４０ａ、４０ｂで固定している。
図４に示すように、看板内には照明器具５を取り付けている。
アーム２を壁３や柱にボルト等の取り付け部材４にて取り付けることで袖看板として使用する。
【００１４】
図５には、スタンド看板１ａの例を示す。
スタンドアーム６にステイ６ａを取り付けステイに枠体１０を連結する。
スタンドアームにはキャスター６ｂを有していて移動可能になっている。
枠体は枠体固定具１４ａにて略方形の枠を形成し、両側から略矩形形状の箱形のパネル１２０ａ、１２０ｂを枠体と押え具と間に挟み込むようにしての固定ねじ４０ａ、４０ｂを締め込みパネルを固定する。
パネル内側には照明器具５ａを配置している。
看板の正面からパネルを取り外し、照明器具の取り替え等のメンテナンスをする。
【００１５】
図７に二段ボルトを使用しないパネル挟持構造例を示す。
枠体１１０にパネル受け部１１１を形成し、押え具１３０にパネル押え部１３２及び雌ねじ孔１３３を形成し、パネル受け部１１１とパネル押え部１３２の間にパネル２０の挟持部を挟み込むようにして固定ねじ１４０にて締結する。
図８には、固定ねじ３４０の頭部側よりを小径ねじ部３４２ａとし、先端部側よりを大径ねじ部３４１ａとした固定ねじの例を示し、頭部側よりを小ピッチＰ１にして先端部側よりを大ピッチＰ２にしている。
また、固定ねじの頭部はドライバーで締め込むように溝を形成しても、六角レンチで締め込むように六角孔を形成してもよい。
【図面の簡単な説明】
【００１６】
【図１】パネル取り付け部の要部図を示す。
【図２】固定ねじの回転と、枠体と押え具との関係を示す。
【図３】丸形袖看板の例を示す。
【図４】丸形袖看板のＡ１−Ａ２線断面図を示す。
【図５】スタンド看板の例を示す。
【図６】スタンド看板のＡ２−Ａ２線断面図を示す。
【図７】パネル挟持の他の例を示す。
【図８】固定ねじの他の例を示す。
【符号の説明】
【００１７】
１０    枠体
１１ａ、１１ｂ    パネル受け部
１３ａ、１３ｂ    枠体雌ねじ孔
２０ａ、２０ｂ    パネル
２１ａ、２１ｂ    パネルの挟持部
３０ａ、３０ｂ    押え具
３２ａ、３２ｂ    パネル押え部
３３ａ、３３ｂ    押え具雌ねじ孔
４０ａ、４０ｂ    固定ねじ
４１ａ、４１ｂ    小ピッチねじ部（大径ねじ部）
４２ａ、４２ｂ    大ピッチねじ部（小径ねじ部）
【図１】
2006220859.tif 000003
【図２】
2006220859.tif 000004
【図３】
2006220859.tif 000005
【図４】
2006220859.tif 000006
【図５】
2006220859.tif 000007
【図６】
2006220859.tif 000008
【図７】
2006220859.tif 000009
【図８】
2006220859.tif 000010